【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
骨の中に経皮的に植え込むための植え込み可能なマーカにおいて、
内部キャビティを備えたハウジングであって、前記ハウジングが外側面を有し、前記外側面が、前記植え込み可能なマーカを前記骨の中に保持するために植え込まれたときに周囲の骨と少なくとも部分的に係合する骨アンカーを提供する、ハウジングと、
前記キャビティ内に保持されたマーカであって、前記マーカが追跡システムによって検出可能である、マーカと、
を具備する、植え込み可能なマーカ。
【請求項２】
請求項１に記載の植え込み可能なマーカにおいて、
前記マーカおよび前記キャビティは、前記マーカの少なくとも一部が使用時に前記骨の中に位置付けられるように、構成されている、植え込み可能なマーカ。
【請求項３】
請求項１または２に記載の植え込み可能なマーカにおいて、
前記マーカは、密封されている、植え込み可能なマーカ。
【請求項４】
請求項１〜３のいずれかに記載の植え込み可能なマーカにおいて、
前記骨アンカーは、保持構造の形態である、植え込み可能なマーカ。
【請求項５】
請求項１〜４のいずれかに記載の植え込み可能なマーカにおいて、
前記骨アンカーは、骨の表面成長を助長するように構成された表面によって、提供されている、植え込み可能なマーカ。
【請求項６】
請求項１〜５のいずれかに記載の植え込み可能なマーカにおいて、
前記マーカは、前記ハウジングによって取り囲まれている、植え込み可能なマーカ。
【請求項７】
請求項１〜６のいずれかに記載の植え込み可能なマーカにおいて、
前記マーカは、無線式で検出可能である、植え込み可能なマーカ。
【請求項８】
請求項７に記載の植え込み可能なマーカにおいて、
前記マーカは、電磁スペクトルの無線周波数部の範囲内の電磁放射を用いて無線式で検出可能である、植え込み可能なマーカ。
【請求項９】
請求項４に記載の植え込み可能なマーカにおいて、
前記保持構造は、少なくとも第１のとげまたはねじ山を含む、植え込み可能なマーカ。
【請求項１０】
請求項１〜９のいずれかに記載の植え込み可能なマーカにおいて、
前記ハウジングは、先細りの導入端部を有する、植え込み可能なマーカ。
【請求項１１】
請求項１０に記載の植え込み可能なマーカにおいて、
前記導入端部は、前記植え込み可能なマーカに力が加えられたときに前記植え込み可能なマーカが骨の中に押し込まれるように、骨を穿通する、植え込み可能なマーカ。
【請求項１２】
請求項１０に記載の植え込み可能なマーカにおいて、
前記導入端部は、セルフタッピングねじ山を含む、植え込み可能なマーカ。
【請求項１３】
請求項１０〜１２のいずれかに記載の植え込み可能なマーカにおいて、
前記導入端部は、トロカール先端部を含む、植え込み可能なマーカ。
【請求項１４】
請求項９に記載の植え込み可能なマーカにおいて、
前記ねじ山の少なくとも第１の部分が、前記植え込み可能なマーカを前記骨の中に保持するのを増強するための断面形状を有する、植え込み可能なマーカ。
【請求項１５】
請求項１４に記載の植え込み可能なマーカにおいて、
前記ねじ山の少なくとも第２の部分が、前記骨への切り込みを増強するための断面形状を有する、植え込み可能なマーカ。
【請求項１６】
請求項１５に記載の植え込み可能なマーカにおいて、
前記ねじ山の前記第２の部分の前記断面形状は、前記ねじ山の前記第１の部分の前記断面形状に比べてより鋭い輪郭を有する、植え込み可能なマーカ。
【請求項１７】
請求項１４〜１６に記載の植え込み可能なマーカにおいて、
前記ねじ山の前記第１の部分は、丸みを帯びた不等辺四角形の形状にある断面形状を有する、植え込み可能なマーカ。
【請求項１８】
骨の中に植え込み可能なマーカを経皮的に植え込むためのキットにおいて、
ガイド器具であって、該ガイド器具の長さ方向の軸に少なくとも部分的に沿って延在し、当該ガイド器具の中に植え込み可能なマーカを受容するためのガイド溝を有する、ガイド器具と、
前記ガイド器具の前記溝内に受容可能で、前記長さ方向の軸に少なくとも部分的に沿って並進運動可能な、導入用具であって、前記導入用具が、植え込み可能なマーカと取り外し可能に係合するための遠位の端部を備えた、導入用具と、
前記ガイド溝内に受容可能で、植え込み可能なマーカであって、前記植え込み可能なマーカが、キャビティを画定するハウジング、および、前記キャビティ内の追跡システムによって検出可能なマーカを備えた、植え込み可能なマーカと、
を具備し、
前記導入用具が、前記植え込み可能なマーカを前記骨の中に打ち込むように動作可能である、
キット。
【請求項１９】
請求項１８に記載のキットにおいて、
前記導入用具が、細長い本体を有し、
前記細長い本体が、前記植え込み可能なマーカに取り付けられた糸を受容するための、前記細長い本体の長さ方向の軸に少なくとも部分的に沿って延在する溝を含む、
キット。
【請求項２０】
請求項１９に記載のキットにおいて、
前記導入用具が、前記糸を中に通して受容するための開口を有する、キット。
【請求項２１】
請求項１８に記載のキットにおいて、
前記植え込み可能なマーカが、骨を穿通する先端部が付いた遠位の端部を有する、キット。
【請求項２２】
請求項１８に記載のキットにおいて、
前記ガイド器具の遠位の端部が、骨を穿通する複数の歯を含んだ骨に係合する構造を有し、前記複数の歯のうちの少なくとも第１および第２の歯が向かい合わせに配置されている、キット。
【請求項２３】
請求項１８に記載のキットにおいて、
前記ガイド器具が、複数の植え込み可能なマーカを収容するためのマガジンを含む、キット。
【請求項２４】
請求項２３に記載のキットにおいて、
前記マガジンが、現在植え込まれている植え込み可能なマーカが植え込まれ終えた後に自動的に別の植え込み可能なマーカを前記ガイド溝内に導入するように構成された供給機構を含む、キット。
【請求項２５】
請求項１８〜２４のいずれかに記載のキットにおいて、
前記ガイド溝内に受容可能で、前記ガイド溝に少なくとも部分的に沿って並進運動可能な、ドリルであって、前記ドリルが、前記骨に穴を形成するための、遠位の端部に設けられたドリル用ビットを有する、ドリル、
を更に具備する、キット。
【請求項２６】
請求項１８〜２５のいずれかに記載のキットにおいて、
前記キットが、アセンブリに組み立てられたとき、前記アセンブリが、前記ガイド器具の遠位の端部から延びる皮膚を穿孔する先端部を含み、前記アセンブリが被験者の皮膚を穿刺できる、キット。
【請求項２７】
請求項２６に記載のキットにおいて、
前記皮膚を穿孔する先端部が、トロカール先端部である、キット。
【請求項２８】
請求項２６または２７に記載のキットにおいて、
前記植え込み可能なマーカが、前記皮膚を穿孔する先端部を有し、前記キットが前記アセンブリとして組み立てられたとき、前記植え込み可能なマーカは、前記皮膚を穿孔する先端部が前記ガイド器具の前記遠位の端部から延出する状態で、前記ガイド溝内に配置される、キット。
【請求項２９】
請求項２６または２７に記載のキットにおいて、
前記キットが、前記ガイド溝内に配置可能で、ドリル用ビットを備えたドリルを含み、
前記ドリル用ビットが、皮膚を穿孔する先端部を有し、前記キットが前記アセンブリとして組み立てられたときに、前記ドリルは、前記皮膚を穿孔する先端部が前記ガイド器具の前記遠位の端部から延出する状態で、前記ガイド溝内に配置される、
キット。
【請求項３０】
請求項２５に記載のキットにおいて、
前記導入用具が、前記ドリルを含み、
前記導入用具の前記遠位の端部が、前記導入用具の分離可能な部品であり、前記分離可能な部品には、前記導入用具を提供するために、少なくとも前記ドリル用ビットが取り外し可能に締結されている、
キット。
【請求項３１】
請求項１〜１７のいずれかに記載の植え込み可能なマーカにおいて、
前記マーカの周囲の領域の性質を検出するためのトランスデューサまたはセンサーをさらに具備する、植え込み可能なマーカ。
【請求項３２】
請求項３１に記載の植え込み可能なマーカにおいて、
前記センサーまたは前記トランスデューサが、圧力、温度、生物学的活性、および、化学的性質、を含む群から選択された性質を検出する、植え込み可能なマーカ。